(57)【要約】      （修正有）【課題】爪先部の足指に対する履き心地（通気性や発熱性）が改善され、且つ、外観を安全性や耐久性を向上させることができる靴下の提供。【解決手段】足甲部３と足裏部４との先端に爪先部５を設けた靴下であり、複数種類の糸を引き揃えて編成されたものである。この靴下の爪先部５のみを靴下本体の他の部位１、２、３、４と異なる糸によって編成したものであり、この爪先部５を構成する糸が靴下本体の他の部位の糸よりも通気性又は保温性が高いものである。【選択図】図１
0003131034.tif 000002
【実用新案登録請求の範囲】
【請求項１】
足甲部と足裏部との先端に爪先部を設けた靴下本体を備えた靴下において、靴下本体は複数種類の糸を引き揃えて編成されたものであり、この靴下の爪先部のみを靴下本体の他の部位と異なる糸によって編成したものであり、この爪先部を構成する糸が靴下本体の他の部位の糸よりも通気性又は保温性が高いものであることを特徴とする靴下。
【請求項２】
爪先部のみは、綿糸からなる表糸と綿糸からなる裏糸とを引き揃えて編成されたものであり、爪先部以外の靴下本体は、上記の爪先部の表糸と同じ表糸と合成繊維糸からなる裏糸とを引き揃えて編成されたものであることを特徴とする請求項１記載の靴下。
【請求項３】
爪先部のみは、羊毛糸、合成繊維糸、又は羊毛と合成繊維との混紡糸からなる表糸と発熱性糸からなる裏糸とを引き揃えて編成されたものであり、爪先部以外の部位は、上記の爪先部の表糸と同じ表糸と合成繊維糸からなる裏糸とを引き揃えて編成されたものであることを特徴とする請求項１記載の靴下。
【考案の詳細な説明】
【技術分野】
【０００１】
本願考案は、靴下、特に、爪先部の機能性が改善された靴下に関するもである。
【背景技術】
【０００２】
従来、爪先部のみを他の部位と異なる組織とするものについては、特許文献１に示すものが知られている。この特許文献に記載の靴下は、爪先部がメッシュ構造となっているため、当該部分の通気性が他の部位に比して改善され、その結果、指が蒸れるのを防止する事ができる。
ところが、メッシュは、通常の編み目に比して著しく開口面積が大きいため、外観が通常の靴下とは異なってしまうことは勿論、靴下を履くとき、指がメッシュにひっかかったりする。特に、子供の指は小さく柔らかいため、引っかかりやすい。しかも、大人が子供の靴下を履かせる時には、指が引っかかったままの靴下を大人が無理やり引き上げてしまうことがあり、そんな時には指が反り上がってしまい、子供が大変痛い思いをしてしまう。また、メッシュは通常の編組織分と比較すると強度が極端に弱くなるため、歩行や運動を繰り返すうちに破損しやすいという問題が指摘されている。
【０００３】
【特許文献１】登録実用新案第３０２４１２７号公報
【考案の開示】
【考案が解決しようとする課題】
【０００４】
本願考案は、爪先部の足指に対する履き心地（通気性や発熱性）が改善され、且つ、外観を安全性や耐久性を向上させることができた靴下の提供を目的とする。
【課題を解決するための手段】
【０００５】
本願の請求項１に係る考案は、足甲部と足裏部との先端に爪先部を設けた靴下本体を備えた靴下において、靴下本体は複数種類の糸を引き揃えて編成されたものであり、この靴下の爪先部のみを靴下本体の他の部位と異なる糸によって編成したものであり、この爪先部を構成する糸が靴下本体の他の部位の糸よりも通気性又は保温性が高いものであることを特徴とする靴下を提供する。
本願の請求項２に係る考案は、爪先部のみは、綿糸からなる表糸と綿糸からなる裏糸とを引き揃えて編成されたものであり、爪先部以外の靴下本体は、上記の爪先部の表糸と同じ表糸と合成繊維糸からなる裏糸とを引き揃えて編成されたものであることを特徴とする請求項１記載の靴下を提供する。
本願の請求項３に係る考案は、爪先部のみは、羊毛糸、合成繊維糸、又は羊毛と合成繊維との混紡糸からなる表糸と発熱性糸からなる裏糸とを引き揃えて編成されたものであり、爪先部以外の部位は、上記の爪先部の表糸と同じ表糸と合成繊維糸からなる裏糸とを引き揃えて編成されたものであることを特徴とする請求項１記載の靴下を提供する。
【考案の効果】
【０００６】
本願の請求項１に係る考案は、靴下本体は複数種類の糸を引き揃えて編成されたものであり、この靴下の爪先部のみを靴下本体の他の部位と異なる糸によって編成したものであり、この爪先部を構成する糸が靴下本体の他の部位の糸よりも通気性又は保温性が高いものであるため、爪先部の通気性や保温性が他の部位よりも改善されたという効果を発揮する。しかも、メッシュなどの大きな開口を有する編組織で通気性が改善されたものではないため、外観が通常の靴下と変わらず、また、靴下を履く際に指が開口にひっかかったりすることも防止されるという効果を発揮する。
本願の請求項２に係る考案は、爪先部のみは、綿糸からなる表糸と綿糸からなる裏糸とを引き揃えて編成されたものであり、爪先部以外の靴下本体は、綿糸からなる表糸と合成繊維糸からなる裏糸とを引き揃えて編成されたものであるため、爪先部の通気性は、他の部位に比して良好であり、足の蒸れの防止を図ることができる。特に、人の感覚は、全体が同じ通気性を持つよりも、指のある爪先のみが他の部位より高い通気性を持っているほうが、涼しく感じることができる。また、爪先部と靴下本体の他の部位との表糸は、同一の糸を使用するものであるため、外観上は通常の靴下と遜色の無いものとする事ができる。
本願の請求項３に係る考案は、爪先部のみは、羊毛糸、合成繊維糸、又は羊毛と合成繊維との混紡糸からなる表糸と発熱性糸からなる裏糸とを引き揃えて編成されたものであるため、冷えを特に感じる爪先部は、他の部位に比して良好な保温性があり、足先の冷えの防止を図ることができる。また、爪先部と靴下本体の他の部位との表糸は、同一の糸を使用するものであるため、外観上は通常の靴下と遜色の無いものとする事ができる。
【考案を実施するための最良の形態】
【０００７】
以下、図面に基づき本願考案の実施の形態を説明する。
図１は、本願考案の実施の形態に係る靴下の側面図である。図２（Ａ）は同靴下の平面図であり、（Ｂ）はその変更例を示す平面図である。図３は同靴下の靴下本体の組織図である。
【０００８】
この靴下は、基端側から先端側に向けて、脚部１、踵部２、足甲部３と足底部４、爪先部５から構成された靴下本体が常法に従って連続して編成されている。脚部の上端には口ゴム部を設けてもよく、あるいは設けずに実施することもできる。爪先部５は、図２（Ａ）のように、指袋を設けないものとしてもよく、図２（Ｂ）のように複数本の指袋５１に分割したものであってもよい。また脚部１のない靴下として実施することもできる。
【０００９】
靴下の種類は、成人男子用の靴下、成人女子用の靴下、年少者用の靴下など、特に限定されないが、いずれの場合についても、図３に示すように、表糸ａと裏糸ｂとの引き揃え編となっている。編地の編成は平編、リブ編、パイル編、ジャガード編、リンクス編など、適宜変更して実施し得る。
【００１０】
この靴下の爪先部５は、靴下本体の他の部位（脚部１、踵部２、足甲部３、足底部４）と異なる糸で編成されている。具体的には、爪先部５については、表糸ａと裏糸ｂとの双方を綿糸としているが、爪先部５以外の部位（脚部１、踵部２、足甲部３、足底部４）については、表糸ａには綿糸、裏糸ｂには合成繊維糸（特にポリウレタン糸）を用いている。これにより、爪先部５は他の部位に比して、通気性がよく、使用者に涼感を与えることができる。しかも、糸の本数や組織が変化するものではないため、外観や耐久性が大きく低下するものではなく、また、メッシュのような大きな孔も空いていないため、強度が高くなり、指の引っ掛りも防止できる。
【００１１】
また、冬用の靴下には、爪先部５については、表糸ａには羊毛糸、合成繊維糸、羊毛と合成繊維との混紡糸の何れかを用い、裏糸ｂには発熱性繊維を用いた発熱糸を採用し、爪先部５以外の部位（脚部１、踵部２、足甲部３、足底部４）については、表糸ａには爪先部５の表糸ａと同じ糸、裏糸ｂには合成繊維糸（特にポリウレタン糸）を用いて実施することもできる。これにより、爪先部５は繊維が発熱して暖かく、特に冷える爪先の履き心地を改善することができる。しかも、表糸は、同一の糸を連続して使用するものであり、組織が変化するものではないため、外観や耐久性が大きく低下するものではない。表糸ａや裏糸ｂの糸の使用本数は、２本以上、適宜変更して実施することができる。
【図面の簡単な説明】
【００１２】
【図１】本願考案の実施の形態に係る靴下の側面図である。
【図２】（Ａ）は同靴下の平面図であり、（Ｂ）はその変更例を示す平面図である。
【図３】同靴下の靴下本体の組織図である。
【符号の説明】
【００１３】
１    脚部
２    踵部
３    足甲部
４    足底部
５    爪先部
ａ    表糸
ｂ    裏糸
【図１】
0003131034.tif 000003
【図２】
0003131034.tif 000004
【図３】
0003131034.tif 000005